(57)【要約】【課題】  部品点数が少なく、低コスト化を図り、嵩低い状態で保管できる内容物支持部材、内容物支持部材に用いるブランクを提供することを目的とする。【解決手段】  方形状の外筒部２と、内容物３を支持する方形状の内筒部４と、外筒部２と内筒部４とを連結する連結部材５と、内筒部４の四面を形成する内筒用平面部材４１、４２、４３、４４に連接して設けられた２段折り外フラップ部、２段折り内フラップ部と、内筒用平面部材４４の端部に連接された重ね代部材６とからなり、外筒部２の内側に内筒部４が位置し、かつ、隣接する内筒用平面部材４１、４２、４３、４４の交わる稜線Ｌが、外筒部２の上下面および両側面を形成する外筒用平面部材２１，２２、２３、２４の内面Ｆの略中央部に当接するように、１枚の厚紙から一体的に形成する。【選択図】  図２
2006044679.tif 000002
【特許請求の範囲】
【請求項１】
内容物を支持した状態で梱包用外箱内に収納される内容物支持部材において、
方形状の外筒部と、前記内容物を支持する方形状の内筒部と、前記外筒部と前記内筒部とを連結する連結部材と、前記内筒部の四面を形成する内筒用平面部材に連接して設けられた２段折り外フラップ部および２段折り内フラップ部と、前記内筒用平面部材の端部に連接され、前記連結部材に隣接する前記内筒用平面部材と重ね合わされる重ね代部材とからなり、前記外筒部の内側に前記内筒部が位置し、かつ、隣接する前記内筒用平面部材の交わる稜線が、前記外筒部の上下面および両側面を形成する外筒用平面部材の内面の略中央部に当接するように、１枚の厚紙から一体的に形成するとともに、前記２段折り内フラップ部を２等分して形成した差込み用切り欠きに、前記内筒部の内側に折り曲げた前記２段折り外フラップ部の先端フラップを嵌入したことを特徴とする内容物支持部材。
【請求項２】
前記重ね代部材に差込み片を形成するとともに、前記連結部材に隣接する前記内筒用平面部材に、差込用切り欠きを形成し、前記差込み片を前記差込用切り欠きに差し込んだことを特徴とする請求項１記載の内容物支持部材。
【請求項３】
前記外筒部の上面を形成する外筒用平面部材の両端部には、前記梱包用外箱から内容物支持部材を取出すための取出し用切欠き部を形成したことを特徴とする請求項１または請求項２に記載の内容物支持部材。
【請求項４】
前記外筒部の上下面および両側面を形成する外筒用平面部材のうち、折り目を介さずに隣接する外筒用平面部材間は、固定されていることを特徴とする請求項１乃至請求項３のいずれかに記載の内容物支持部材。
【請求項５】
前記内筒用平面部材に連接して設けられた２段折り外フラップ部の平面部材側フラップ間は、固定されていることを特徴とする請求項１乃至請求項４のいずれかに記載の内容物支持部材。
【請求項６】
１枚の厚紙からなり、相対する二つの辺に折り目を有する連結部材を中央に設け、前記連結部材の一方の辺の折り目を介して、外筒部の上下面および両側面を形成する外筒用平面部材を順次折り目を介して連接し、前記連結部材の他方の辺の折り目を介して、方形状の内筒部の四面を形成する内筒用平面部材と、前記内筒用平面部材の端部に連接され、前記連結部材に隣接する前記内筒用平面部材と重ね合わされる重ね代部材を、順次折り目を介して連接するとともに、前記内筒用平面部材の偶数または奇数に位置する両端部に、２段折り外フラップ部を、また、前記内筒用平面部材の奇数または偶数に位置する両端部に、２段折り内フラップ部を夫々設け、前記２段折り内フラップ部を２等分し、前記２段折り外フラップ部の先端フラップを前記内筒部の内側に折り曲げて嵌入する差込み用切り欠きを形成したことを特徴とする内容物支持部材に用いるブランク。
【請求項７】
前記重ね代部材に差込み片を形成するとともに、前記連結部材に隣接する前記内筒用平面部材に前記差込み片を差し込むための差込用切り欠きを形成したことを特徴とする請求項６記載の内容物支持部材に用いるブランク。
【請求項８】
前記外筒部の上面を形成する外筒用平面部材の両端部には、梱包用外箱から前記内容物支持部材を取出すための取出し用切欠き部を形成したことを特徴とする請求項６または請求項７に記載の内容物支持部材に用いるブランク。
【発明の詳細な説明】
【技術分野】
【０００１】
本発明は、段ボールまたは板紙などの厚紙からなり、内容物を支持した状態で梱包用外箱内に収納される内容物支持部材および内容物支持部材に用いるブランクに関する。
【背景技術】
【０００２】
一般的に、例えば、複写機などに用いられる、現像ユニット、ドラム状の感光体、トナーカートリッジなどのように円筒形状のものや、重心の安定しないもの、あるいは手で触れる程度は良いが、外部から圧力が加わると困るような、例えば、コロナ帯電器のようなもの（以下、このようなものを「内容物」という。）を輸送する場合、このような内容物を梱包用外箱内に単に収納したのみでは、輸送時の衝撃などにより、内容物が損傷を受けることがある。
【０００３】
このような点を考慮し、従来では、例えば、円筒形状の内容物を梱包する場合、内容物を固定するために、円筒形状の内容物の両側を、支持部材基板の中央部に支持軸を突設した軸心支持部材で支持するとともに、この軸心支持部材と、梱包用外箱の内壁との間に、緩衝材基板に複数の発泡ポリエチレン製の緩衝部材本体を固定した緩衝部材を装着したものがある。（例えば、特許文献１参照）。
【特許文献１】特許平１１―１７１１７０号公報
【発明の開示】
【発明が解決しようとする課題】
【０００４】
しかし、上述の特許文献記載の構成では、内容物を支持するために複数種類の軸心支持部材や緩衝部材を必要とし、部品点数が多い構成となり、コストアップを招来することとなる。また、軸心支持部材や緩衝部材は、立体的な構成で嵩高いため、その保管に広い場所が必要である等の不都合があった。
【０００５】
本発明は、上述した課題を解決するためになされたものであり、部品点数を少なくして、低コスト化を図り、しかも、嵩低い状態で保管できる内容物支持部材および内容物支持部材に用いるブランクを提供することを目的とする。
【課題を解決するための手段】
【０００６】
上記目的を達成するために、請求項１記載の発明では、内容物を支持した状態で梱包用外箱内に収納される内容物支持部材において、方形状の外筒部と、内容物を支持する方形状の内筒部と、外筒部と内筒部とを連結する連結部材と、内筒部の四面を形成する内筒用平面部材に連接して設けられた２段折り外フラップ部および２段折り内フラップ部と、内筒用平面部材の端部に連接され、連結部材に隣接する内筒用平面部材と重ね合わされる重ね代部材とからなり、外筒部の内側に内筒部が位置し、かつ、隣接する内筒用平面部材の交わる稜線が、外筒部の上下面および両側面を形成する外筒用平面部材の内面の略中央部に当接するように、１枚の厚紙から一体的に形成するとともに、２段折り内フラップ部を２等分して形成した差込み用切り欠きに、内筒部の内側に折り曲げた２段折り外フラップ部の先端フラップを嵌入する。
【０００７】
請求項２記載の発明では、重ね代部材に差込み片を形成するとともに、連結部材に隣接する内筒用平面部材に、差込用切り欠きを形成し、差込み片を差込用切り欠きに差し込む。
【０００８】
請求項３記載の発明では、外筒部の上面を形成する外筒用平面部材の両端部には、梱包用外箱から内容物支持部材を取出すための取出し用切欠き部を形成する。
請求項４記載の発明では、外筒部の上下面および両側面を形成する外筒用平面部材のうち、折り目を介さずに隣接する外筒用平面部材間は、固定されている。
【０００９】
請求項５記載の発明では、内筒用平面部材に連接して設けられた２段折り外フラップ部の平面部材側フラップ間は、固定されている。
請求項６記載の発明では、１枚の厚紙からなり、相対する二つの辺に折り目を有する連結部材を中央に設け、連結部材の一方の辺の折り目を介して、外筒部の上下面および両側面を形成する外筒用平面部材を順次折り目を介して連接し、連結部材の他方の辺の折り目を介して、方形状の内筒部の四面を形成する内筒用平面部材と、内筒用平面部材の端部に連接され、連結部材に隣接する内筒用平面部材と重ね合わされる重ね代部材を、順次折り目を介して連接するとともに、内筒用平面部材の偶数または奇数に位置する両端部に、２段折り外フラップ部を、また、内筒用平面部材の奇数または偶数に位置する両端部に、２段折り内フラップ部を夫々設け、２段折り内フラップ部を２等分し、２段折り外フラップ部の先端フラップを内筒部の内側に折り曲げて嵌入する差込み用切り欠きを形成する。
【００１０】
請求項７記載の発明では、重ね代部材に差込み片を形成するとともに、連結部材に隣接する内筒用平面部材に差込み片を差し込むための差込用切り欠きを形成する。
請求項８記載の発明では、外筒部の上面を形成する外筒用平面部材の両端部には、梱包用外箱から内容物支持部材を取出すための取出し用切欠き部を形成する。
【発明の効果】
【００１１】
請求項１記載の発明の構成によれば、内容物を支持する方形状の内筒部は、方形状の外筒部の内側に、内筒部の隣接する内筒用平面部材の交わる稜線が、外筒部の上下面および両側面を形成する外筒用平面部材の内面の略中央部に当接するように配設されている。このため、内容物の外周は、稜線との間に形成される空間を介して中に浮いたような状態となる。また、内容物の両端部は、２段折り外フラップ部および２段折り内フラップ部の先端フラップにより挟持された状態となる。従って、内容物は、外圧を受けることなく、かつ、安定した状態で支持されることになる。しかも、この内容物支持部材は、１枚の厚紙を折り曲げて形成しているので、内容物支持部材を構成するための部品点数を極めて少なくすることが可能になる。
【００１２】
請求項２記載の発明の構成によれば、内筒部は、重ね代部材に形成した差込み片を、連結部材に隣接する内筒用平面部材に形成した差込用切り欠きに差し込むことにより、方形状に形成しているので、組立作業が簡単な構成となり、かつ内容物支持部材を容易に組立てることが可能になる。
【００１３】
請求項３記載の発明の構成によれば、外筒部の上面を形成する外筒用平面部材の両端部には、取出し用切欠き部を形成しているので、内容物を支持した状態の内容物支持部材を、梱包用外箱から容易に取出すことが可能になる。
【００１４】
請求項４記載の発明の構成によれば、外筒部は、外筒部の上下面および両側面を形成する外筒用平面部材のうち、折り目を介さずに隣接する外筒用平面部材間を固定することにより、方形状に形成している。従って、組立作業が簡単な構成となり、かつ、内容物支持部材を容易に組立てることが可能になる。
【００１５】
請求項５記載の発明の構成によれば、内筒用平面部材に連接して設けられた２段折り外フラップ部の平面部材側フラップ間を、固定しているので、梱包用外箱内に収納するまでの間に、内容物が移動し、内筒部からはみ出すのを防止することが可能になる。
【００１６】
請求項６記載の発明の構成によれば、単なる平板状の扁平な１枚の厚紙により、内容物支持部材に用いるブランクを形成しているので、内容物を梱包する際に、折り目を基準にして簡単に組立てることができる。従って、梱包前のブランクの保管は、平板状であり、嵩低い状態となり、省スペース化が図れる。
【００１７】
請求項７記載の発明の構成によれば、重ね代部材に差込み片を形成するとともに、連結部材に隣接する内筒用平面部材に、差込み片を差し込むための差込用切り欠きを形成したので、接着剤やステープルなどを用いることなく、方形状の内筒部を容易に組立てることが可能になる。
【００１８】
請求項８記載の発明の構成によれば、外筒部の上面を形成する外筒用平面部材の両端部には、取出し用切欠き部を形成しているので、内容物を支持した状態の内容物支持部材を、梱包用外箱から容易に取出すことが可能になる。また、この取出し用切欠き部は、１枚の厚紙から、ブランクを加工する際に、折り目などとともに、予め形成することができるので、製造工程が容易になる。
【発明を実施するための最良の形態】
【００１９】
以下に、本発明の具体的な一実施形態について図１乃至６を参照しながら説明する。図１は、本発明の一実施形態に係る内容物支持部材の概略構成を示す正面図であり、図２は、図１に示す内容物支持部材の側面図、図３は、図１に示す内容物支持部材の側断面図、図４および図５は、図２のＸ−Ｙ断面図で、図４は２段折り外フラップ部を折り曲げる前の状態を、図５は、２段折り外フラップ部を折り曲げた後の状態を示す。図６は、図１に示す内容物支持部材に用いるブランクの展開図である。
【００２０】
図１乃至図３に示す内容物支持部材１は、１枚の例えば、段ボールまたは板紙などからなる厚紙を、所定の輪郭形状に裁断するとともに、所定の部位に折り目と切込みを入れた、図６に示すようなブランクＰを折り曲げて一体的に形成されている。なお、本明細書において、「１枚の厚紙」とは、平板状に構成された、例えば、段ボールまたは板紙を言う。即ち、段ボールにあっては、その厚み方向において、通常、２枚の平板状部材と、当該平板状部材に挟持される波板状部材から構成されており、このような構成により作成された段ボールを、１枚の厚紙という。
【００２１】
この内容物支持部材１は、方形状の外筒部２と、内容物３を支持する方形状の内筒部４を有している。そして、外筒部２の内側に内筒部４が位置し、かつ、内筒部４の四面を形成する内筒用平面部材４１、４２、４３、４４の隣接する内筒用平面部材４１−４２、４２−４３、４３−４４、４４−４１の交わる稜線Ｌが、外筒部２の上下面および両側面を形成する外筒用平面部材２１、２２、２３、２４の内面Ｆの略中央部に当接するように連結部材５を介して配設されている。
【００２２】
次に、図６に示す内容物支持部材１に用いるブランクＰの構成について説明する。ブランクＰは、１枚の厚紙からなり、相対する二つの辺に折り目Ａ１、Ｂ１を有する連結部材５を中央に設け、一方の辺の折り目Ａ１を介して外筒部２の上下面および両側面を形成する外筒用平面部材２４，２３、２２、２１を順次折り目Ａ１、Ａ２、Ａ３、Ａ４、を介して連接する。また、連結部材５の他方の辺の折り目Ｂ１を介して、方形状の内筒部４の四面を形成する内筒用平面部材４１、４２、４３、４４および、この端部に位置する内筒用平面部材４４に、連結部材５に隣接する内筒用平面部材４１と重ね合わされる重ね代部材６を、順次折り目Ｂ１、Ｂ２、Ｂ３、Ｂ４、Ｂ５を介して連接する。
【００２３】
また、内筒用平面部材４１、４２、４３、４４の偶数または奇数に位置する両端部、即ち、図示例では、連結部材５から各内筒用平面部材４１、４２、４３、４４を１つとして数えて、２番目および４番目、即ち、偶数番目に位置する内筒用平面部材４２、４４の両端部に、折り目Ｃ１を介して２段折り外フラップ部７２、７４を設ける。また、連結部材５から各内筒用平面部材４１、４２、４３、４４を１つとして数えて、１番目および３番目、即ち、奇数番目に位置する内筒用平面部材４１、４３の両端部に、折り目Ｃ１を介して２段折り内フラップ部７１、７３を設ける。
【００２４】
各２段折り外フラップ部７２、７４は、平面部材側フラップ７２ａ、７４ａと、折り目Ｃ２を介して連接された先端フラップ７２ｂ、７４ｂからなり、折り目Ｃ１、Ｃ２を介して各平面部材側フラップ７２ａ、７４ａおよび先端フラップ７２ｂ、７４ｂは、夫々９０度に折り曲げられる。
【００２５】
また、同様に、各２段折り内フラップ部７１、７３は、平面部材側フラップ７１ａ、７３ａと、折り目Ｃ２を介して連接された先端フラップ７１ｂ、７３ｂからなり、折り目Ｃ１、Ｃ２を介して平面部材側フラップ７１ａ、７３ａおよび先端フラップ７１ｂ、７３ｂは、夫々９０度に折り曲げられる。更に、各２段折り内フラップ部７１、７３は、折り目Ｃ１（または、Ｃ２）に対して垂直方向に２等分され、差込み用切り欠き７１ｃ、７３ｃが形成されている。この差込み用切り欠き７１ｃ、７３ｃには、２段折り外フラップ部７２、７４の先端フラップ７２ｂ、７４ｂが、内筒部４の内側に折り曲げられ、嵌入される。
【００２６】
また、重ね代部材６には、例えば、内筒用平面部材４４側が狭く、先端側が広くなったコ字状の差込み片６１が形成されている。また、連結部材５に隣接する内筒用平面部材４１には、連結部材５側が、狭くなったコ字状の差込用切り欠き４１１が形成されている。差込み片６１は、内筒部４を方形状に組立て形成する際に、差込用切り欠き４１１に嵌入される。
【００２７】
また、外筒部２の上面を形成する外筒用平面部材２１の、例えば、幅方向の中央部の両端部には、内容物支持部材１を梱包用外箱８(後述の図１０参照)から取出す際、手を差し入れるための取出し用切欠き部２１１を形成する。これにより、内容物３を支持した状態の内容物支持部材１を、梱包用外箱８から容易に取出すことができる。また、この取出し用切欠き部は、１枚の厚紙から、ブランクＰを加工する際に、折り目などとともに、予め形成することができるので、製造工程が容易になる。
次に、上述したブランクＰにより内容物支持部材１の組立ておよび内容物の梱包について説明する。図７乃至図１１は、図６に示すブランクを用いて内容物支持部材の組立て手順を説明するための概略斜視図で、図７は、内筒部を組立て外筒部を組立てる直前の状態を、図８は、外筒部を組立てている状態を、図９は、２段折り内フラップ部および２段折り外フラップ部を折り曲げる直前の状態を、図１０は、内容物を内容物支持部材内に支持収納して内容物支持部材の組立てを終えた状態を、図１１は、内容物を収納した内容物支持部材を梱包用外箱に収納する状態を示す。
【００２８】
先ず、図７に示すように、重ね代部材６および内筒用平面部材４４、４３、４２、４１を、折り目Ｂ５、Ｂ４、Ｂ３、Ｂ２を介して９０度内側(矢印方向)に折り曲げる。そして、差込み片６１を、内筒用平面部材４１に形成した差込用切り欠き４１１に差し込み、方形状の内筒部４を形成する。
【００２９】
続いて、図８、図９に示すように、連結部材５および外筒用平面部材２４、２３、２２、２１を、折り目Ａ１、Ａ２、Ａ３、Ａ４を介して９０度内側に折り曲げるとともに、折り目Ａ１、Ａ２、Ａ３、Ａ４を介さずに隣接する外筒用平面部材２１−２４との間を、例えば、粘着テープ９で固定し、方形状の外筒部２を形成する。
【００３０】
次に、図９に示すように、内筒部４の端部から被梱包物である内容物３を挿入する。その後、図９に矢印イで示すように、２段折り内フラップ部７１、７３の平面部材側フラップ７１ａ、７３ａおよび先端フラップ７１ｂ、７３ｂを、折り目Ｃ１、Ｃ２を介して内筒部４の内側に向けて夫々９０度、２段に折り込む（図４参照）。
【００３１】
その後、図４および図９に矢印ロで示すように、２段折り外フラップ部７２、７４の平面部材側フラップ７２ａ、７４ａおよび先端フラップ７２ｂ、７４ｂを、折り目Ｃ１、Ｃ２を介して内筒部４の内側に向けて夫々９０度、２段に折り込む。このとき、先端フラップ７２ｂ、７４ｂを、２段折り内フラップ部７１、７３に形成された、差込み用切り欠き７１ｃ、７３ｃに嵌入する（図５参照）。その後、必要に応じて相対する平面部材側フラップ７２ａ−７４ａ間を、例えば、粘着テープ９で固定する（図１０参照）。最後に、図１１に示すように、内容物３を支持収納した内容物支持部材１を、梱包用外箱８内に収納する。
【００３２】
以上の構成による本実施形態によれば、内容物３を支持する方形状の内筒部４は、方形状の外筒部２の内側に、内筒部４の隣接する内筒用平面部材４１−４２、４２−４３、４３−４４、４４−４１の交わる稜線Ｌが、外筒部２の上下面および両側面を形成する外筒用平面部材２１、２２、２３、２４の内面Ｆの略中央部に当接するように配設されている。このため、内容物３の外周は、稜線Ｌとの間に形成される空間を介して中に浮いたような状態となる。また、内容物３の両端部は、２段折り外フラップ部７２、７４および２段折り内フラップ部７１、７３の先端フラップ７１ｂ、７２ｂ、７３ｂ、７４ｂにより挟持された状態となる。従って、内容物３は、外圧を受けることなく、かつ、安定した状態で支持される。しかも、この内容物支持部材１は、１枚の厚紙を折り曲げて形成しているので、内容物支持部材１を構成するための部品点数は、極めて少なくすることが可能になる。
【００３３】
また、内筒部４は、重ね代部材６に形成した差込み片６１を、連結部材５に隣接する内筒用平面部材４１に形成した差込用切り欠き４１１に差し込むことにより、方形状に形成しているので、組立作業が簡単な構成となり、かつ内容物支持部材を容易に組立てることが可能になる。
【００３４】
また、外筒部２の上面を形成する外筒用平面部材２１の両端部には、取出し用切欠き部２１１を形成しているので、内容物３を支持した状態の内容物支持部材１を、梱包用外箱８から容易に取出すことが可能になる。
【００３５】
また、外筒部２は、折り目Ａ１、Ａ２、Ａ３、Ａ４を介さずに隣接する外筒用平面部材２１−２４間を固定することにより、方形状に形成している。従って、組立作業が簡単な構成となり、かつ、内容物支持部材を容易に組立てることが可能になる。また、この固定に、粘着テープ９を用いると、一般的に梱包材の補助材料の一つとして備えられているものであり、殊更この固定をするために特別な別個の部材を用意する必要がなくなる。また、紐などで締結して固定する場合に比べ、固定作業が簡単である。
【００３６】
また、内筒用平面部材４２、４４に連接して設けられた２段折り外フラップ部７２、７４の先端フラップ７２ｂ−７４ｂ間を固定しているので、梱包用外箱８内に収納するまでの間に、内容物３が移動し、内筒部４からはみ出すのを防止することが可能になる。また、平面部材側フラップ７２ａ−７４ａ部分の補強を兼ねることが可能になる。また、この固定に、粘着テープ９を用いると、上述の外筒用平面部材２１−２４間の固定と同様、一般的に梱包材の補助材料の一つとして備えられているものであり、殊更この固定をするために特別な別個の部材を用意する必要がなくなる。また、紐などで締結して固定する場合に比べ、固定作業が簡単である。
【００３７】
また、単なる平板状の扁平な１枚の厚紙により、内容物支持部材に用いるブランクＰを形成しているので、内容物３を梱包する際に、折り目を基準にして簡単に組立てることができる。従って、梱包前のブランクＰの保管は、平板状であり、嵩低い状態となり、省スペース化が図れる。
【００３８】
更に、重ね代部材６に差込み片６１を形成するとともに、連結部材５に隣接する内筒用平面部材４１に、差込み片６１を差し込むための差込用切り欠き４１１を形成したので、接着剤やステープルなどを用いることなく、方形状の内筒部を容易に組立てることが可能になる。
【００３９】
なお、上述した実施形態は、本発明の好適な実施形態であるが、本発明はこれに限定されるものではなく、本発明の要旨を逸脱しない範囲において、種々変形実施可能である。
例えば、上述した実施形態では、内筒部を形成する際、重ね代部材に形成した差込み片を、連結部材に隣接する内筒用平面部材に形成した差込用切り欠きに嵌入しているが、これに換えて、例えば、粘着テープや接着剤を用いて、固定するようにしてもよいのは、勿論である。
【００４０】
また、上述した実施形態では、差込み片および差込用切り欠きを３個設けたものであるが、この数は、支持する内容物の大きさや重量などを考量して増減すればよいのは、勿論である。
【００４１】
また、同様に上述した実施形態では、外筒部の上下面および両側面を形成する外筒用平面部材のうち、折り目を介さずに隣接する外筒用平面部材との間を、粘着テープで固定しているが、これに換えて、例えば、接着剤を用いて、固定するようにしてもよいのは、勿論である。
【００４２】
更に、上述した実施形態では、内容物３を収納支持した１個の内容物支持部材１を、１個の梱包用外箱内に収納したが、内容物３を収納支持した複数個の内容物支持部材１を、１個の梱包用外箱内に並置または／および積み重ねて収納してもよいのは、勿論である。
【産業上の利用可能性】
【００４３】
本発明の活用例としては、内容物を支持する内容物支持部材および内容物支持部材に用いるブランクが挙げられる。
【図面の簡単な説明】
【００４４】
【図１】本発明の一実施形態に係る内容物支持部材の概略構成を示す正面図である。
【図２】図１に示す内容物支持部材の側面図である。
【図３】図１に示す内容物支持部材の側断面図である。
【図４】図２のＸ−Ｙ視断面図で、２段折り外フラップ部を折り曲げる前の状態を示す。
【図５】図２のＸ−Ｙ視断面図で、２段折り外フラップ部を折り曲げた後の状態を示す。
【図６】図１に示す内容物支持部材に用いるブランクの展開図を示す。
【図７】図６に示すブランクを用いて内容物支持部材の組立て手順を説明するための概略斜視図で、内筒部を組立て外筒部を組立てる直前の状態を示す。
【図８】図６に示すブランクを用いて内容物支持部材の組立て手順を説明するための概略斜視図で、外筒部を組立てている状態を示す。
【図９】図６に示すブランクを用いて内容物支持部材の組立て手順を説明するための概略斜視図で、２段折り内フラップ部および２段折り外フラップ部を折り曲げる直前の状態を示す。
【図１０】図６に示すブランクを用いて内容物支持部材の組立て手順を説明するための概略斜視図で、内容物を内容物支持部材内に支持収納して内容物支持部材の組立てを終えた状態を示す。
【図１１】図６に示すブランクを用いて内容物支持部材の組立て手順を説明するための概略斜視図で、内容物を収納した内容物支持部材を梱包用外箱容器に収納する状態を示す。
【符号の説明】
【００４５】
１        内容物支持部材
２        外筒部
２１      外筒用平面部材
２１１    取出し用切欠き部
２２      外筒用平面部材
２３      外筒用平面部材
２４      外筒用平面部材
３        内容物
４        内筒部
４１      内筒用平面部材
４１１    差込み用切り欠き
４２      内筒用平面部材
４３      内筒用平面部材
４４      内筒用平面部材
４１１    差込用切り欠き
５        連結部材
６        重ね代部材
６１      差込み片
７１      ２段折り内フラップ部
７１ａ    平面部材側フラップ
７１ｂ    先端フラップ
７１ｃ    差込み用切り欠き
７２      ２段折り外フラップ部
７２ａ    平面部材側フラップ
７２ｂ    先端フラップ
７３      ２段折り内フラップ部
７３ａ    平面部材側フラップ
７３ｂ    先端フラップ
７３ｃ    差込み用切り欠き
７４      ２段折り外フラップ部
７４ａ    平面部材側フラップ
７４ｂ    先端フラップ
８        梱包用外箱
Ａ１〜Ａ４    折り目
Ｂ１〜Ｂ５    折り目
Ｃ１、Ｃ２    折り目
Ｆ        内面
Ｌ        稜線
Ｐ        ブランク
【図１】
2006044679.tif 000003
【図２】
2006044679.tif 000004
【図３】
2006044679.tif 000005
【図４】
2006044679.tif 000006
【図５】
2006044679.tif 000007
【図６】
2006044679.tif 000008
【図７】
2006044679.tif 000009
【図８】
2006044679.tif 000010
【図９】
2006044679.tif 000011
【図１０】
2006044679.tif 000012
【図１１】
2006044679.tif 000013